(57)【要約】      （修正有）【課題】ブレードカバーの着脱をこまめに行うことが可能な刈り込み機を提供し、刈り込み機を利用する作業の便宜に寄与する。【解決手段】刈り込み機１０は、刈り込み機本体１６と、刈り込み機本体に設けられている一対のブレード３２，３４と、刈り込み機本体に対して第１位置と第２位置の間を移動可能に設けられている移動部材４０を備えている。移動部材には、ブレードカバー部３０が形成されている。移動部材が第１位置にあるときには、ブレードカバー部が一対のブレードに取付けられた状態となり、移動部材が第２位置にあるときには、ブレードカバー部が一対のブレードから取外された状態となることを特徴とする。【選択図】図１
2006325505.tif 000002
【特許請求の範囲】
【請求項１】
刈り込み機本体と、
刈り込み機本体に設けられている一対のブレードと、
刈り込み機本体に対して第１位置と第２位置の間を移動可能に設けられている移動部材を備え、
前記移動部材には、ブレードカバー部が形成されており、
前記移動部材が第１位置にあるときには、前記ブレードカバー部が前記一対のブレードに取付けられた状態となり、前記移動部材が第２位置にあるときには、前記ブレードカバー部が前記一対のブレードから取外された状態となることを特徴とする刈り込み機。
【請求項２】
前記移動部材が第１位置にあるときに、前記移動部材の位置を保持する第１位置保持機構が付加されていることを特徴とする請求項１の刈り込み機。
【請求項３】
前記移動部材が第２位置にあるときに、前記移動部材の位置を保持する第２位置保持機構が付加されていることを特徴とする請求項１又は２の刈り込み機。
【請求項４】
前記移動部材には、作業面に当接させることによって作業面に対する一対のブレードの位置を調節するためのガイド部が形成されており、
前記移動部材が第１位置にあるときには前記ガイド部が収容された状態となり、前記移動部材が第２位置にあるときには前記ガイド部が作業面に当接可能な状態となることを特徴とする請求項３の刈り込み機。
【請求項５】
前記移動部材は、刈り込み機本体に対して第１位置と第２位置と第３位置の間を移動可能に設けられており、
前記移動部材が第３位置にあるときには、前記ブレードカバー部が前記一対のブレードから取り外された状態となっているとともに前記ガイド部が作業面に当接可能な状態となり、
前記移動部材が第３位置にあるときに、前記移動部材の位置を保持する第３位置保持機構が付加されていることを特徴とする請求項４の刈り込み機。
【発明の詳細な説明】
【技術分野】
【０００１】
本発明は、例えば芝生バリカン、芝刈り機、ヘッジトリマ等と称される刈り込み機であって、主として芝生や生垣等の刈り込み作業に用いる刈り込み機に関する。
【背景技術】
【０００２】
刈り込み機は、刈り込み機本体と、刈り込み機本体に設けられている一対のブレードを備えている。刈り込み機では、刈り込み機本体に内蔵されている動力源によって、一対のブレードが相対運動可能に構成されている。一対のブレードのそれぞれには、複数の刃先部が櫛状に形成されている。一対のブレードが相対運動することによって、各ブレードに形成されている刃先部が草木等を切断する。
刈り込み機には、ブレードカバーが用意されている。刈り込み機を運転しないときには、一対のブレードにブレードカバーを取付けることによって、ブレードの刃先部が無用に露出することを防止することができる。刈り込み機を保管する際や、刈り込み機を運搬する際には、一対のブレードにブレードカバーを取付けておくことが求められる。
特許文献１には、ブレードカバー（文献内ではカッターカバーと称している）に関する技術が記載されている。
【特許文献１】実公昭５２−５０１２７号公報
【発明の開示】
【発明が解決しようとする課題】
【０００３】
ブレードを無用に露出させないためには、ブレードカバーの着脱をこまめに行うことが重要である。作業者は、刈り込み機の運転を始める直前においてブレードカバーを取外し、刈り込み機の運転を終えた直後においてブレードカバーを取付けるようにして、ブレードを露出させた状態で刈り込み機を運搬することや、ブレードを露出させた状態で刈り込み機を放置することは、避けるように努めなければならない。
しかしながら、刈り込み機を利用する刈り込み作業は、屋外で行われることが多いことから、その作業範囲が比較的に広いという特徴がある。刈り込み機を利用する作業についても、一箇所に留まって行われることは少なく、移動しながら行われることが多い。
刈り込み機を運転しながら移動すると、ブレードカバーを取外して刈り込み機の運転を始めた位置と、刈り込み機の運転を終えてブレードカバーを取付けるべき位置とが離れることとなる。この場合、刈り込み機の運転を終えた作業者は、刈り込み機を運転し始めた位置までブレードカバーを取りに戻る必要があり不便である。また作業者は、刈り込み機を携帯して戻るか、あるいは刈り込み機を放置して戻ることとなるが、いずれにしてもブレードは露出された状態となっており、ブレードに注意を払う必要がある。
そのことから、例えばブレードカバーを携行しながら刈り込み作業を行うことが考えられる。しかしながら、ブレードカバーを携行しながら刈り込み機を操作することは面倒であり、ブレードカバーを遺失してしまう恐れもある。
本発明は、上記の問題を解決する。本発明は、ブレードカバーの着脱をこまめに行うことが可能な刈り込み機を提供し、刈り込み機を利用する作業の便宜に寄与することを目的とする。
【課題を解決するための手段】
【０００４】
本発明が提供する刈り込み機は、刈り込み機本体と、刈り込み機本体に設けられている一対のブレードと、刈り込み機本体に対して第１位置と第２位置の間を移動可能に設けられている移動部材を備えている。移動部材には、ブレードカバー部が形成されている。移動部材が第１位置にあるときには、ブレードカバー部が一対のブレードに取付けられた状態となる。移動部材が第２位置にあるときには、ブレードカバー部が一対のブレードから取外された状態となることを特徴とする。
【０００５】
この刈り込み機では、刈り込み機本体に対して移動部材を第１位置に移動することによって、ブレードカバー部を一対のブレードに取り付けることができる。また、刈り込み機本体に対して移動部材を第２位置に移動することによって、ブレードカバー部を一対のブレードから取外すことができる。
この刈り込み機によると、移動部材を移動することによって、刈り込み機の運転を始める直前においてブレードカバーを取外し、刈り込み機の運転を終えた直後においてブレードカバーを取付けることができる。ブレードを露出させた状態で刈り込み機を運搬・放置する動作を作業者に強いることがない。ブレードカバーを携行することなく、ブレードカバーの着脱をこまめに行うことが可能となる。
【０００６】
上記の刈り込み機では、移動部材が第１位置にあるときに、移動部材の位置を保持する第１位置保持機構が付加されていることが好ましい。
それにより、一対のブレードに取付けられているブレードカバー部が、一対のブレードから偶発的に外れてしまうことが防止される。
【０００７】
上記の刈り込み機では、移動部材が第２位置にあるときに、移動部材の位置を保持する第２位置保持機構が付加されていることが好ましい。
それにより、刈り込み機を運転して刈り込み作業している時に、移動部材が無用に移動することを防止することができる。
【０００８】
移動部材には、作業面に当接させることによって一対のブレードの作業面に対する位置を調節するためのガイド部を形成しておくことが好ましい。この場合、移動部材が第１位置にあるときにはガイド部が収容された状態となり、移動部材が第２位置にあるときにはガイド部が作業面に当接可能な状態となることが好ましい。
この刈り込み機では、刈り込み機本体に対して移動部材を第１位置に移動することによって、ブレードカバー部を一対のブレードに取付けることができるとともに、ガイド部を収容することができる。また、刈り込み機本体に対して移動部材を第２位置に移動することによって、ブレードカバー部を一対のブレードから取外すことができるとともに、ガイド部を作業面に当接可能な状態とすることができる。
この刈り込み機によると、移動部材を移動することによって、刈り込み機の運転を始める直前においてガイド部を作業面に当接可能な状態にし、刈り込み機の運転を終えた直後においてガイド部を収容することができる。刈り込み機の運転をしないときには、ガイド部を収容することによって、例えばガイド部が損傷してしまうことを防止することができる。
【０００９】
上記の刈り込み機において、移動部材は、刈り込み機本体に対して第１位置と第２位置と第３位置の間を移動可能に設けられていることが好ましい。この場合、移動部材が第３位置にあるときには、ブレードカバー部が一対のブレードから取り外された状態となっているとともにガイド部が作業面に当接可能な状態となっていることが好ましい。そして、移動部材が第３位置にあるときに、移動部材の位置を保持する第３位置保持機構が付加されていることが好ましい。
ガイド部を移動部材に設けておくと、刈り込み機本体に対する移動部材の位置を調整することによって、刈り込み機本体に設けられている一対のブレードに対するガイド部の位置を調整することが可能となる。
この刈り込み機では、刈り込み機を運転する際に、刈り込み機本体に対する移動部材の位置を、第２位置と第３位置のいずれかに保持することができる。それにより、一対のブレードに対するガイド部の位置を選択的に調整して保持することができる。
【発明の効果】
【００１０】
本発明により、ブレードカバーの着脱をこまめに行うことが可能となり、刈り込み機を利用する作業者の安全を確保することが可能となる。
【発明を実施するための最良の形態】
【００１１】
最初に、以下に説明する実施例の主要な特徴を列記する。
（形態１）  芝生バリカンは、移動部材が第１位置にあるときに、移動部材に設けられているブレードカバー部を、一対のブレードに向けて付勢している付勢部材を備えている。
（形態２）  芝生バリカンは、移動部材が第１位置にあるときに、係合することによって芝生バリカンと移動部材の相対位置を保持する第１係合対を備えている。第１係合対の一方は芝生バリカン本体側に設けられている。第１係合対の他方は移動部材側に設けられている。
（形態３）  芝生バリカンは、移動部材が第２位置にあるときに、係合することによって芝生バリカンと移動部材の相対位置を保持する第２係合対を備えている。第２係合対の一方は芝生バリカン本体側に設けられている。第１係合対の他方は移動部材側に設けられている。
（形態４）  芝生バリカンは、移動部材が第２位置にあるときに、第２係合対の少なくとも一方を、第２係合対が係合し続ける方向に付勢している付勢部材を備えている。
【実施例】
【００１２】
本発明を具現化した芝生バリカンの実施例について図面を参照して説明する。芝生バリカンは、芝生の刈り込みを主な用途とする刈り込み機である。
図１は、実施例の芝生バリカン１０の外観図である。図１に示すように、芝生バリカン１０は、芝生バリカン本体１６（以下、単に本体ということがある）と、本体１６に設けられている上側ブレード３２および下側ブレード３４と、本体１６に対して移動可能に設けられている移動部材４０を備えている。
本体１６には、作業者が芝生バリカン１０を把持するための把持部１２や、芝生バリカン１０の運転スイッチであるトリガスイッチ１４等が設けられている。芝生バリカン１０は、手持ち式の刈り込み機である。
本体１６には、後述する移動部材４０の各所と係合するための係合突部材４６や係合爪部３６等が設けられている。係合突部材４６は、本体１６に対して進退可能に設けられているとともに、本体１６から突出する方向に付勢されている。係合爪部３６は、本体１６に対して固定されている。
【００１３】
図２は、実施例の芝生バリカン１０を下方（図１において下方）からみたときの外観図（一部、断面図）である。図３は、図２に示すIII−III線による断面図である。図２に示すように、上側ブレード３２と下側ブレード３４のそれぞれには、櫛状に並ぶ刃先部３２ａ、３４ａが形成されている。
図２、図３に示すように、一対のブレード３２、３４は、本体１６に対して軸部材６６の回りに揺動可能に支持されている。下側ブレード３４の基端部（刃先部３４ａ群の反対側）には、本体１６側に設けられている第１回転カム７４ｂが嵌合している嵌合孔３４ｂが形成されている。嵌合孔３４ｂは、スロット形状をしている。第１回転カム７４ｂが回転運動したときに、下側ブレード３４が往復揺動運動する構成となっている。上側ブレード３２についても同様に、本体１６側に設けられている第２回転カム７４ａが嵌合している嵌合孔３２ｂが形成されており、第２回転カム７４ａが回転運動したときに、上側ブレード３２が往復揺動運動する構成となっている。第１回転カム７４ｂと第２回転カム７４ａは、略１８０度の位相差を持って回転する構成となっており、一対のブレード３２、３４が反対向きに往復揺動運動する構成となっている。
【００１４】
図３に示すように、本体１６の内部には、駆動源であるモータ６０や、モータ６０の駆動力を一対のブレード３２、３４に伝達する動力伝達部６２等が内蔵されている。前出の回転カム７４ａ、７４ｂは動力伝達部６２の一部である。モータ６０の駆動／停止は、トリガスイッチ１４の操作によって切換えられる。モータ６０の回転動力は、回転カム７４ａ、７４ｂへと伝達され、一対のブレード３２、３４の往復揺動運動に変換される。一対のブレード３２、３４による対称的な往復揺動運動によって、上側ブレード３２の刃先部３２ａと下側ブレード３４の刃先部３４ａが繰り返し交差することとなり、芝生等が切断される。
【００１５】
図４、図５を参照して、移動部材４０の構成について説明する。移動部材４０は、概して略Ｕ字形状の板状部４２に、折り返し部３０や、複数のリブ状の突出部２０、４４、６４が形成された構成となっている。移動部材４０の材質は特に限定されないが、例えば樹脂材料等を用いて形成するとよい。
折り返し部３０は、一対のブレード３２、３４を収容可能な空間３０ａを形成しており、一対のブレード３２、３４のブレードカバーを構成している。以下、折り返し部３０を、ブレードカバー部３０ということがある。
ブレードカバー部３０上に形成されている３つの第１突出部２０と、板状部４２のＵ字形状内縁に沿って形成されている２つの第２突出部６４は、板状部４２に対して第１面４２ａ側に突出している。詳しくは後述するが、これらの突出部２０、６４は、芝生の刈り込み長さを調節するためのガイドとして機能する。以下、第１突出部２０を第１ガイド部２０ということがある。また、第２突出部６４を第２ガイド部６４ということがある。
板状部材４２のＵ字形状外縁に沿って形成されている２つの突出部４４は、板状部４２に対して第２面４２ｂ側に突出している。
移動部材４０では、第２ガイド部６４に、長孔５４や、切欠部５０や、ノッチ群６０が形成されている。ノッチ群６０は、第１ノッチ６０ａと第２ノッチ６０ｂと第３ノッチ６０ｃから構成されている。
【００１６】
図１、図２に示すように、移動部材４０は、本体１６側に設けられているピン部材５２によって、本体１６に取付けられている。ピン部材５２は、移動部材４０の長孔５４に遊嵌している。それにより、移動部材４０は、長孔５４の長軸方向に沿って（図１の状態ではＡ方向に）移動可能であるとともに、ピン部材５２の回り（図１の状態ではＣ方向）に回動可能となっている。ピン部材５２の端部には、ワッシャ５２ａが固定されている。ワッシャ５２ａの直径は長孔５４の短軸よりも大きく、長孔５４がピン部材５２から離脱することが禁止されている。それにより、移動部材４０は、本体１６から離反することが禁止されている。移動部材４０の長孔５４内には、ばね部材５６が設けられている。
【００１７】
図１、図２は、移動部材４０のブレードカバー部３０が、一対のブレード３２、３４に取付けられた状態を示している。本体１６に対する移動部材４０の位置に関して、図１、図２に示す移動部材４０の位置を第１位置という。移動部材４０が本体１６に対して第１位置にあるときには、ブレードカバー部３０が一対のブレード３２、３４に取付けられた状態となる。芝生バリカン１０を運搬する際や、芝生バリカン１０を保管しておく際には、移動部材４０を第１位置へと移動することによって、ブレードカバー部３０を一対のブレード３２、３４に取付けることができる。
移動部材４０が第１位置にあるときには、本体１６に設けられている係合突部材４６が、移動部材４０に設けられている切欠部５０と係合している。係合突部材４６と切欠部５０は、移動部材４０が第１位置にあるときに、係合することによって本体１６と移動部材４０の相対位置を保持する第１係合対を構成している。また、移動部材４０が第１位置にあるときには、ばね部材５６が移動部材４０を図１中のＢ方向に付勢している。即ち、ばね部材５６は、ブレードカバー部３０を一対のブレード３２、３４に向けて付勢している。第１係合対４６、５０による係合や、ばね部材５６による付勢力によって、移動部材４０は第１位置に保持されており、ブレードカバー部３０が一対のブレード３２、３４から離脱することが抑止されている。それにより、芝生バリカン１０を運搬している時や、芝生バリカン１０を保管している間に、ブレードカバー部３０が一対のブレード３２、３４から偶発的に外れてしまうことが防止される。
【００１８】
芝生バリカン１０を使用する際には、本体１６に対して移動部材４０を図１中のＡ方向に引き出すことによって、ブレードカバー部３０を一対のブレード３２、３４から取外すことができる。さらに、移動部材４０を図１中のＣ方向に回転させることによって、ブレードカバー部３０を一対のブレード３２、３４から退避させることができる。
図６は、ブレードカバー部３０が一対のブレード３２、３４から取外された状態を示しており、芝生バリカン１０によって刈り込み作業を実施するときの状態を示している。本体１６に対する移動部材４０の位置に関して、図６に示す移動部材４０の位置を第２位置という。移動部材４０が本体１６に対して第２位置にあるときには、ブレードカバー部３０が一対のブレード３２、３４から取外された状態となる。前出の第１位置にある移動部材４０に対して、第２位置にある移動部材４０は、ピン部材５２の回りに略１８０度回転している。
移動部材４０が第２位置にあるときには、本体１６に設けられている係合爪部３６が、移動部材４０に設けられている第１ノッチ６０ａと係合している。係合爪部３６と第１ノッチ６０ａは、移動部材４０が第２位置にあるときに、係合することによって本体１６と移動部材４０の相対位置を保持する第２係合対を構成している。また、移動部材４０が第２位置にあるときには、ばね部材５６が移動部材４０を図１中のＡ方向に付勢している。即ち、ばね部材５６が第１ノッチ６０ａを係合爪部３６に向けて付勢することによって、第２係合対６０ａ、３６が係合し続けるようになっている。第２係合対３６、６０ａによる係合や、ばね部材５６による付勢力によって、移動部材４０は第２位置に保持されており、芝生バリカン１０の運転中に移動部材４０が無用に移動することが防止されている。
作業者は、芝生バリカン１０を芝生面（作業面）Ｈに沿って移動させることによって、芝生の刈り込み作業を行うことができる。
【００１９】
図６に示すように、移動部材４０が第２位置にあるときには、移動部材４０に設けられている第１ガイド部２０群や、第２ガイド部６４群が、本体１６からみて下方に向けて突出している。即ち、第１ガイド部２０群や第２ガイド６４群は、芝生面Ｈに当接させることが可能な状態となっている。第１ガイド部２０群と第２ガイド部６４群は、それぞれの頂部２０ａ、６４ａがすべて同一平面内に位置するように構成されている。ガイド部２０、６４群の頂部２０ａ、６４ａ群を芝生面Ｈに当接させた場合、一対のブレード３２、３４と芝生面Ｈとの間の距離は所定距離Ｌ１となる。作業者は、ガイド部２０、６４群の頂部群２０ａ、６４ａ群を芝生面Ｈに当接させることによって、芝生面Ｈに対する一対のブレード３２、３４の距離を所定距離Ｌ１に調節することができる。その状態を維持しながら芝生バリカン１０を移動することによって、芝生面Ｈを略一定の長さＬ１に刈り込むことが容易にできる。
【００２０】
図６に示すように、移動部材４０が第２位置にあるときは、移動部材４０の板状部４２の第２面４２ｂが、一対のシャーブレード３２、３４の後方に広がっている。また板状部４２の第２面４２ｂは、芝生面Ｈに対して略平行に広がっている。一対のシャーブレード３２、３４によって刈り取られた芝は、移動部材４０の板状部４２の第２面４２ｂによって受止められる。第２面４２ｂによって受止められた芝は、第２面４２ｂの外縁に沿って形成されている突出部４４によって、第２面４２ｂ上に保持される。即ち、移動部材４０では、板状部４２の第２面４２ｂや突出部４４によって、集塵部（いわゆるチップレシーバ部）が形成されている。
【００２１】
図７に示すように、芝生バリカン１０を使用する際には、移動部材４０に設けられている第２ノッチ６０ｂを、本体１６に設けられている係合爪部３６と係合させることによって、移動部材４０を第２位置とは異なる位置に保持することもできる。即ち、係合爪部３６と第２ノッチ６０ｂは、移動部材４０が第３位置にあるときに、係合することによって本体１６と移動部材４０の相対位置を保持する第３係合対を構成している。本体１６に対する移動部材４０の位置に関して、図７に示す移動部材４０の位置を第３位置という。移動部材４０が第３位置にあるときについても、移動部材４０に設けられているガイド部２０、６４群は、本体１６からみて下方に向けて突出している。即ち、第１ガイド部２０群や第２ガイド６４群は、芝生面Ｈに当接させることが可能な状態となっている。ただし、移動部材４０が第３位置にあるときは、移動部材４０が第２位置にあるときに比して、本体１６に対するガイド部２０、６４群の位置が異なることとなる。それにより、ガイド部２０、６４群を芝生面Ｈに接触させた場合、一対のブレード３２、３４と芝生面Ｈとの間の距離は所定距離Ｌ２となる。所定距離Ｌ２は、所定距離Ｌ１よりも長い。作業者は、移動部材４０を第３位置に調節することによって、芝生を略一定の長さＬ２に刈り込むことが容易にできる。
移動部材４０を第３位置に調節した場合でも、板状部４２の第２面４２ｂが、一対のシャーブレード３２、３４の後方において、芝生面Ｈと略平行に広がることとなる。それにより、移動部材４０を第３位置に調節した場合でも、一対のシャーブレード３２、３４によって刈り取られた芝は、板状部４２の第２面４２ｂ上に収集される。
【００２２】
あるいは、図８に示すように、移動部材４０に設けられている第３ノッチ６０ｃを、本体１６に設けられている係合爪部３６と係合させることによって、移動部材４０をさらに第３位置とは異なる位置に保持することもできる。即ち、係合爪部３６と第３ノッチ６０ｃは、移動部材４０が第４位置にあるときに、係合することによって本体１６と移動部材４０の相対位置を保持する第４係合対を構成している。本体１６に対する移動部材４０の位置に関して、図８に示す移動部材４０の位置を第４位置という。移動部材４０が第４位置にあるときにも、移動部材４０に設けられているガイド部２０、６４群は、芝生面Ｈに当接させることが可能な状態となっている。ガイド部２０、６４群を芝生面Ｈに接触させた場合、一対のブレード３２、３４と芝生面Ｈとの間の距離が所定距離Ｌ３となる。所定距離Ｌ３は、所定距離Ｌ２よりも長い。作業者は、移動部材４０を第４位置に調節することによって、芝生を略一定の長さＬ３に刈り込むことが容易にできる。
【００２３】
芝生バリカン１０では、本体１６に対する移動部材４０の位置を第２位置と第３位置と第４位置の間において調節することによって、芝生の刈り込み長さをＬ１、Ｌ２、Ｌ３のいずれかに調節することができる。また、移動部材４０をいずれの位置に調節した場合でも、板状部４２の第２面４２ｂは芝生面Ｈに対して同じ角度を保つので、刈り取った芝を移動部材４０によって収集しながら刈り込み作業を行うことができる。
【００２４】
板状部材４２のＵ字形状外縁に沿って形成されている２つの突出部４４は、刈り取った芝を保持する機能に加えて、以下の機能を果たす。
突出部４４の外側に形成されている平面は、本体１６の長手方向に対して略平行に形成されている。即ち、刈り込み作業時に本体１６を移動させる方向に対して略平行に形成されている。また、２つの突出部４４の幅は、下側ブレード３４の幅よりもわずかに広くなっており、上下のブレード３２、３４が左右に揺動したときに、上下のブレード３２、３４が２つの突出部４４よりも外側にはみ出さないようになっている。それにより、壁際に生えている芝生等を刈り取る際には、突出部４４の外側平面を芝生バリカン１０の側方のガイドとして用いることができる。即ち、突出部４４の外側平面を壁面に押し当てながら本体１６を前方に動かすことによって、揺動している上下のブレード３２、３４を壁面に接触させることなく、本体１６を正しい向きに維持しながら、壁面に沿って移動させることができる。
【００２５】
刈り込み作業を終了あるいは中断し、芝生バリカン１０の運転を停止した際には、本体１６に対して移動部材４０を図６中のＢ方向に引き出すとともに、移動部材４０を図６中のＤ方向に回転させることによって、再びブレードカバー部３０を一対のブレード３２、３４に取付けることができる（図１、図２の状態）。ブレードカバーを取りに戻ったりすることなく、速やかにブレードカバー部３０を一対のブレード３２、３４に取付けることできる。一対のブレード３２、３４を露出させた状態で芝生バリカン１０を運搬することや放置したりすることを、作業者に強いることがない。
また、移動部材４０を第１位置へと移動することによって、移動部材４０に設けられているガイド部２０、６４群を、移動部材４０の上方側へと移動することができる。この状態は、ガイド部２０、６４群を芝生面Ｈ等に当接させることができない状態であることから、ガイド部２０、６４群を収容した状態といえる。移動部材４０が第１位置にあり、ガイド部２０、６４群が収容されている状態では、例えば芝生バリカン１０を地面等に置いたときでも、ガイド部２０、６４群が地面等に接触することがない。それにより、ガイド部２０、６４群が破損してしまうことを防止することができる。
【００２６】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【図面の簡単な説明】
【００２７】
【図１】実施例の芝生バリカンを側方からみたときの外観を示す図。
【図２】実施例の芝生バリカンを下方からみたときの外観を示す図。
【図３】図２中のIII−III線断面図であり、芝生バリカン本体の内部構成を示す図。
【図４】移動部材を上方からみたときの外観図。
【図５】移動部材を側方からみたときの外観図。
【図６】芝生バリカンの使用時の状態を示す図（刈り込み長さＬ１）。
【図７】芝生バリカンの使用時の状態を示す図（刈り込み長さＬ２）。
【図８】芝生バリカンの使用時の状態を示す図（刈り込み長さＬ３）。
【符号の説明】
【００２８】
１０・・芝生バリカン
１２・・把持部
１４・・トリガスイッチ
１６・・芝生バリカン本体
２０・・第１ガイド部
３０・・ブレードカバー部
３２・・上側ブレード
３４・・下側ブレード
３６・・係合爪部
４０・・移動部材
４２・・板状部
４２ａ・・板状部の第１面
４２ｂ・・板状部の第２面
４６・・係合突部材
５０・・切欠部
５６・・ばね部材
６０・・ノッチ群
６４・・第２ガイド部
【図１】
2006325505.tif 000003
【図２】
2006325505.tif 000004
【図３】
2006325505.tif 000005
【図４】
2006325505.tif 000006
【図５】
2006325505.tif 000007
【図６】
2006325505.tif 000008
【図７】
2006325505.tif 000009
【図８】
2006325505.tif 000010